(57)【要約】【課題】新設基地局装置に対してトラッキングエリアを自動設定することができる移動通信システム、基地局装置及びアクセスゲートウェイ装置並びにトラッキングエリア設定方法を提供する。【解決手段】新設基地局装置の識別子及びパイロットチャネルが新設基地局装置から送信され、ユーザ装置はパイロットチャネルの受信品質を既存基地局装置に通知する移動通信システムであって、既存基地局装置は、ユーザ装置から通知された受信品質に対して統計処理を行う手段と、統計処理の結果を上位局に通知する手段とを備え、上位局は、通知された統計処理の結果に基づいて、新設基地局装置に割り当てるトラッキングエリアを決定する手段と、決定されたトラッキングエリアを新設基地局装置に通知する手段とを備え、新設基地局装置は、通知されたトラッキングエリアを設定する手段を備えることにより達成される。【選択図】図６
2008193366.tif 000002
【特許請求の範囲】
【請求項１】
新設基地局装置の識別子及びパイロットチャネルが前記新設基地局装置から送信され、ユーザ装置は前記パイロットチャネルの受信品質を既存基地局装置に通知し、
前記既存基地局装置は、
前記ユーザ装置から通知された受信品質に対して所定の統計処理を行う統計処理手段；
前記統計処理の結果を上位局に通知する統計処理結果通知手段；
を備え、
前記上位局は、
前記既存基地局装置により通知された前記統計処理の結果に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備え、
前記新設基地局装置は、
前記上位局により通知されたトラッキングエリアを示す情報に基づいて、自新設基地局装置の属するトラッキングエリアを設定するトラッキングエリア設定手段；
を備えることを特徴とする移動通信システム。
【請求項２】
請求項１に記載の移動通信システムにおいて：
前記統計処理手段は、各ユーザ装置から通知された受信品質の平均値を求めることを特徴とする移動通信システム。
【請求項３】
請求項１に記載の移動通信システムにおいて：
前記統計処理手段は、各ユーザ装置から通知された受信品質の累積密度分布を求め、該累積密度分布に基づいて、予め決定された所定のパーセント値を求めることを特徴とする移動通信システム。
【請求項４】
請求項２に記載の移動通信システムにおいて：
前記上位局は、
トラッキングエリアと、そのトラッキングエリアを構成する基地局装置との対応を示すテーブル；
を備え、
前記トラッキングエリア選択処理手段は、前記統計処理の結果に基づいて、平均値が最大となる基地局装置の属するトラッキングエリアを前記新設基地局装置に割り当てることを特徴とする移動通信システム。
【請求項５】
請求項３に記載の移動通信システムにおいて：
前記上位局は、
トラッキングエリアと、そのトラッキングエリアを構成する基地局装置との対応を示すテーブル；
を備え、
前記トラッキングエリア選択処理手段は、前記統計処理の結果に基づいて、パーセント値が最大となる基地局装置の属するトラッキングエリアを前記新設基地局装置に割り当てることを特徴とする移動通信システム。
【請求項６】
請求項２又は３に記載の移動通信システムにおいて：
前記上位局は、トラッキングエリアと、そのトラッキングエリアを構成する基地局装置との対応を示すテーブル；
を備え、
前記トラッキングエリア選択処理手段は、前記統計処理の結果を通知した基地局装置が属するトラッキングエリアのうち、その数が最も多いトラッキングエリアを前記新設基地局装置に割り当てることを特徴とする移動通信システム。
【請求項７】
請求項６に記載の移動通信システムにおいて：
前記トラッキングエリア選択処理手段は、統計処理の結果が予め決定された所定の閾値以上の基地局装置が属するトラッキングエリアのうち、その数が最も多いトラッキングエリアを前記新設基地局装置に割り当てることを特徴とする移動通信システム。
【請求項８】
新設基地局装置の識別子及びパイロットチャネルが前記新設基地局装置から送信され、ユーザ装置は前記パイロットチャネルの受信品質を測定し、
前記ユーザ装置は、
測定されたパイロットチャネルの受信品質が所定の閾値以上であるか否かを判断する判断手段；
前記判断手段において測定されたパイロットチャネルの受信品質が所定の閾値以上である場合に、前記受信品質が所定の閾値以上であることを示す情報を既存基地局装置に通知する通知手段；
を備え、
前記既存基地局装置は、前記受信品質が所定の閾値以上であることを示す情報を通知してきたユーザ装置の数を集計する集計手段；
前記集計手段により集計された集計値を上位局に通知する集計値通知手段；
を備え、
前記上位局は、
前記既存基地局装置により通知された集計値に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備え、
前記新設基地局装置は、
前記上位局により通知されたトラッキングエリアを示す情報に基づいて、自新設基地局装置の属するトラッキングエリアを設定するトラッキングエリア設定手段；
を備えることを特徴とする移動通信システム。
【請求項９】
請求項８に記載の移動通信システムにおいて：
前記所定の閾値は、前記既存基地局から報知されることを特徴とする移動通信システム。
【請求項１０】
請求項８又は９に記載の移動通信システムにおいて：
前記上位局は、
トラッキングエリアと、そのトラッキングエリアを構成する基地局装置との対応を示すテーブル；
を備え、
前記トラッキングエリア選択処理手段は、前記既存基地局装置により通知された集計値に基づいて、その集計値が最大の既存基地局装置の属するトラッキングエリアを、その新設基地局装置に割り当てることを特徴とする移動通信システム。
【請求項１１】
新設基地局装置の識別子及びパイロットチャネルが前記新設基地局装置から送信され、ユーザ装置は前記パイロットチャネルの受信品質を通知し、
前記ユーザ装置から通知された受信品質に対して所定の統計処理を行う統計処理手段；
前記統計処理の結果を上位局に通知する統計処理結果通知手段；
を備えることを特徴とする基地局装置。
【請求項１２】
新設基地局装置の識別子及びパイロットチャネルが前記新設基地局装置から送信され、ユーザ装置は前記パイロットチャネルの受信品質を、既存基地局装置に通知し、
前記既存基地局装置は、前記ユーザ装置から通知された受信品質に対して所定の統計処理を行い、その統計処理の結果を通知し、
前記既存基地局装置により通知された統計処理の結果に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備えることを特徴とするアクセスゲートウェイ装置。
【請求項１３】
新設基地局装置が、自新設基地局装置の識別子及びパイロットチャネルを送信する送信ステップ；
ユーザ装置が、前記新設基地局装置により送信された識別子及びパイロットチャネルの受信品質を既存基地局装置に通知する通知ステップ；
前記既存基地局装置が、ユーザ装置から通知された受信品質に対して所定の統計処理を行う統計処理ステップ；
前記既存基地局装置が、前記統計処理の結果を上位局に通知する統計処理結果通知ステップ；
前記上位局が、前記既存基地局装置により通知された前記統計処理の結果に基づいて、前記新設基地局装置に割り当てるトラッキングエリアを決定するトラッキングエリア選択処理ステップ；
前記上位局が、前記トラッキングエリア選択処理ステップにより決定されたトラッキングエリアを示す情報を前記新設基地局装置に通知するトラッキングエリア通知ステップ；
前記新設基地局装置が、前記上位局により通知されたトラッキングエリアを示す情報に基づいて、自新設基地局装置の属するトラッキングエリアを設定するトラッキングエリア設定ステップ；
を有することを特徴とするトラッキングエリア設定方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に移動通信システム、基地局装置及びアクセスゲートウェイ装置並びにトラッキングエリア設定方法に関する。
【背景技術】
【０００２】
Ｗ−ＣＤＭＡやＨＳＤＰＡ（総称ＵＭＴＳ）の後継となる通信方式、すなわちＬＴＥ（Ｌｏｎｇ  Ｔｅｒｍ  Ｅｖｏｌｕｔｉｏｎ）が、ＵＭＴＳの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＵＭＴＳでは、新規セルが導入される場合には、シミュレーションツールやリンクバジェット（例えば、非特許文献２参照）などを用いて設置場所、アンテナや無線のパラメータなどが机上検討される。これらの検討結果に基づいて新設基地局装置が建設される。実運用に先駆け、新設基地局装置は仮運用され、パイロットチャネルが送信される。運用者は電波測定用装置でその新設基地局装置から送信される電波を測定し、無線パラメータを調整する。上記電波測定用装置は、専用車両に搭載されて、運用者が測定対象エリアの道路を上記専用車両で周回することで、測定データが取得される。
【０００４】
また、移動通信ネットワークでは、待ち受け（ＩＤＬＥ）中のユーザ装置の位置は、トラッキングエリア（Ｔｒａｃｋｉｎｇ  Ａｒｅａ）という単位でネットワークに記憶される。トラッキングエリアとは、ＵＭＴＳにおけるロケーションエリア（ＬＡ：  Ｌｏｃａｔｉｏｎ  Ａｒｅａ）又はルーティングエリア（ＲＡ：  Ｒｏｕｔｉｎｇ  Ａｒｅａ）に相当し、１又は複数のセルにより構成される。
【０００５】
ＵＭＴＳでは、新規セルが導入される場合には、その導入される地域の人口分布などに基づいてトラッキングエリアアップデートの頻度などが推定され、トラッキングエリアが机上検討される。
【非特許文献１】3GPP TR 25.814 (V7.0.0), "Physical Layer Aspects for Evolved UTRA," June 2006
【非特許文献２】立川敬二、「Ｗ−ＣＤＭＡ移動通信方式」、丸善株式会社、ｐｐ．１９７−１９９、  ２００１
【非特許文献３】3GPP R2-061929 June 2006
【発明の開示】
【発明が解決しようとする課題】
【０００６】
しかしながら、上述した背景技術には以下の問題がある。
【０００７】
従来のような新設基地局装置の設計、運用、特にアンテナや無線の諸パラメータやトラッキングエリアの最適化には、机上検討や電波伝搬測定に多大な労力を要していた。この労力を軽減するために、３ＧＰＰでは、ＬＴＥシステムの基地局装置を新たに設置する場合には、その新設基地局装置とネットワークとをケーブルで接続し、電源をオンにすることにより、自動設定が行われるようにすることが提案されている（非特許文献３参照）。特に今後の通信の需要に応えて、ホームユースの基地局装置など、小型基地局装置が大量に設置される状況を想定すると、このような自動設定機能が実現されることが望ましい。
【０００８】
しかし、この提案は、コンセプトベースであり、具体的な基地局装置およびユーザ装置の構成などについては提案されていない。
【０００９】
基地局装置を新たに設置する場合には、その新設基地局装置から送信される電波の各地点での受信品質に基づいて、無線パラメータを設定する必要がある。
【００１０】
また、新規セルが導入される場合には、その新規セルが属するトラッキングエリアを自動設定する必要がある。
【００１１】
そこで本発明は、上述した問題点の少なくとも１つを解決するためになされたものであり、その目的は、新設基地局装置に対してトラッキングエリアを自動設定することができる移動通信システム、基地局装置及びアクセスゲートウェイ装置並びにトラッキングエリア設定方法を提供することにある。
【課題を解決するための手段】
【００１２】
上記課題を解決するため、本発明の移動通信システムは、
新設基地局装置の識別子及びパイロットチャネルが前記新設基地局装置から送信され、ユーザ装置は、前記パイロットチャネルの受信品質を既存基地局装置に通知し、
前記既存基地局装置は、
前記ユーザ装置から通知された受信品質に対して所定の統計処理を行う統計処理手段；
前記統計処理の結果を上位局に通知する統計処理結果通知手段；
を備え、
前記上位局は、
前記既存基地局装置により通知された前記統計処理の結果に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備え、
前記新設基地局装置は、
前記上位局により通知されたトラッキングエリアを示す情報に基づいて、自新設基地局装置の属するトラッキングエリアを設定するトラッキングエリア設定手段
を備えることを特徴の１つとする。
【００１３】
このように構成することにより、新設基地局装置が送信するパイロットチャネルの受信品質に基づいて、新設基地局装置に対してトラッキングエリアを割り当てることができる。
【００１４】
本発明の他の移動通信システムは、
新設基地局装置の識別子及びパイロットチャネルが前記新設基地局装置から送信され、ユーザ装置は前記パイロットチャネルの受信品質を測定し、
前記ユーザ装置は、
測定されたパイロットチャネルの受信品質が所定の閾値以上であるか否かを判断する判断手段；
前記判断手段において測定されたパイロットチャネルの受信品質が所定の閾値以上である場合に、前記受信品質が所定の閾値以上であることを示す情報を既存基地局装置に通知する通知手段；
を備え、
前記既存基地局装置は、前記ユーザ装置から通知された前記受信品質が所定の閾値以上であることを示す情報の数を集計する集計手段；
前記集計手段により集計された集計値を上位局に通知する集計値通知手段；
を備え、
前記上位局は、
前記既存基地局装置により通知された集計値に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備え、
前記新設基地局装置は、
前記上位局により通知されたトラッキングエリアを示す情報に基づいて、自新設基地局装置の属するトラッキングエリアを設定するトラッキングエリア設定手段；
を備えることを特徴の１つとする。
【００１５】
このように構成することにより、新設基地局装置が送信するパイロットチャネルに基づいて、ユーザ装置からそのパイロットチャネルの受信品質を報告することなく、新設基地局装置に対してトラッキングエリアを割り当てることができる。
【００１６】
本発明の基地局装置は、
新設基地局装置の識別子及びパイロットチャネルが前記新設基地局装置から送信され、ユーザ装置は前記パイロットチャネルの受信品質を通知し、
前記ユーザ装置から通知された受信品質に対して所定の統計処理を行う統計処理手段；
前記統計処理の結果を上位局に通知する統計処理結果通知手段；
を備えることを特徴の１つとする。
【００１７】
このように構成することにより、新設基地局装置から送信されるパイロットチャネルの受信品質に対して所定の統計処理を行い、その統計処理の結果を上位局に通知することができる。
【００１８】
本発明のアクセスゲートウェイ装置は、
新設基地局装置の識別子及びパイロットチャネルが前記新設基地局装置から送信され、ユーザ装置は前記パイロットチャネルの受信品質を、既存基地局装置に通知し、
前記既存基地局装置は、前記ユーザ装置から通知された受信品質に対して所定の統計処理を行い、その統計処理の結果を通知し、
前記既存基地局装置により通知された統計処理の結果に基づいて、前記新設基地局装置に割り当てるトラッキングエリアを決定するトラッキングエリア選択処理手段；
前記トラッキングエリア選択処理手段により決定されたトラッキングエリアを示す情報を前記新設基地局装置に通知するトラッキングエリア通知手段；
を備えることを特徴の１つとする。
【００１９】
このように構成することにより、既存基地局装置から通知された新設基地局装置から送信されるパイロットチャネルの受信品質に基づいて行われた統計処理に基づいて、新設基地局装置に割り当てるトラッキングエリアを決定し、通知することができる。
【００２０】
本発明のトラッキングエリア設定方法は、
新設基地局装置が、自新設基地局装置の識別子及びパイロットチャネルを送信する送信ステップ；
ユーザ装置が、前記新設基地局装置により送信された識別子及びパイロットチャネルの受信品質を既存基地局装置に通知する通知ステップ；
前記既存基地局装置が、ユーザ装置から通知された受信品質に対して所定の統計処理を行う統計処理ステップ；
前記既存基地局装置が、前記統計処理の結果を上位局に通知する統計処理結果通知ステップ；
前記上位局が、前記既存基地局装置により通知された前記統計処理の結果に基づいて、前記新設基地局装置に割り当てるトラッキングエリアを決定するトラッキングエリア選択処理ステップ；
前記上位局が、前記トラッキングエリア選択処理ステップにより決定されたトラッキングエリアを示す情報を前記新設基地局装置に通知するトラッキングエリア通知ステップ；
前記新設基地局装置が、前記上位局により通知されたトラッキングエリアを示す情報に基づいて、自新設基地局装置の属するトラッキングエリアを設定するトラッキングエリア設定ステップ；
を有することを特徴の１つとする。
【００２１】
このようにすることにより、新設基地局装置が送信するパイロットチャネルの受信品質に基づいて、新設基地局装置に対してトラッキングエリアを割り当てることができる。
【発明の効果】
【００２２】
本発明の実施例によれば、新設基地局装置に対してトラッキングエリアを自動設定することができる移動通信システム、基地局装置及びアクセスゲートウェイ装置並びにトラッキングエリア設定方法を実現できる。
【発明を実施するための最良の形態】
【００２３】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２４】
本発明の実施例に係る移動通信システムについて、図１を参照して説明する。
【００２５】
移動通信システムは、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。
【００２６】
移動通信システムは、基地局装置（ｅＮＢ：  ｅＮｏｄｅ  Ｂ）２００ｍ（ｍは、ｍ＞１の整数）と、ユーザ装置（ＵＥ：  Ｕｓｅｒ  Ｅｑｕｉｐｍｅｎｔ）１００ｎ（ｎは、ｎ＞０の整数）とを備える。図１には、基地局装置２００１、２００２、２００３及び２００４、及びユーザ装置１００１、１００２、１００３、１００４及び１００５が示される。本実施例においては、基地局装置２００１、２００２及び２００３がすでに設置され、これらの基地局装置の近傍に基地局装置２００４が新たに設置される場合について説明する。以下、適宜、基地局装置２００１、２００２及び２００３を既存基地局装置と呼び、基地局装置２００４を新設基地局装置と呼ぶ。
【００２７】
基地局装置２００１、２００２、２００３及び２００４がカバーするセルをそれぞれセル２０２１、２０２２、２０２３及び２０２４と呼ぶ。本実施例においては、一例として、セル２０２１及び２０２２によりトラッキングエリア２０４１が構成され、セル２０２３によりトラッキングエリア２０４２が構成される場合について説明するが、トラッキングエリアを構成するセルについては適宜変更可能である。図１では、セル２０２３とトラッキングエリア２０４２とが重なるため、トラッキングエリア２０４２のみを示す。
【００２８】
アクセスゲートウェイ装置（ａＧＷ：  ａｃｃｅｓｓ  Ｇａｔｅｗａｙ）３００は、例えばコアネットワーク５００に備えられる。コアネットワーク５００以外のネットワークに備えられるようにしてもよい。このアクセスゲートウェイ装置３００を制御プレーン（Ｃ−ｐｌａｎｅ）及びユーザープレーン（Ｕ−ｐｌａｎｅ）の論理エンティティに分け、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）とする場合もある。また、コアネットワーク５００には、ホームロケーションレジスタ（ＨＬＲ：  Ｈｏｍｅ  Ｌｏｃａｔｉｏｎ  Ｒｅｇｉｓｔｅｒ）４００が備えられる。ホームロケーションレジスタ４００には、各ユーザ装置１００ｎを管理するアクセスゲートウェイ装置３００の識別子が保持される。
【００２９】
本実施例に係る基地局装置２００について説明する。
【００３０】
本実施例では、基地局装置２００を、新たに設置される新設基地局装置が備える機能とすでに設置されている既存基地局装置が備える機能に分けて説明するが、基地局装置２００としては両方の機能を備える。
【００３１】
新たに設置され、運用開始前の状態であるプリオペレーション状態である新設基地局装置としての基地局装置２００４について、図２を参照して説明する。基地局装置２００４は、プリオペレーション状態であることを示す情報、例えばプリオペレーション状態であることを示すインジケータを報知する。
【００３２】
プリオペレーション状態とは、運用開始前の基地局装置の状態をいう。基地局装置２００４は、例えば、ネットワークとケーブルで接続された後、電源がオンされる。そして、例えばＩＰ網に接続される場合にはＩＰアドレスの決定、サーバの検知、認証処理、上位ノードとのアソシエーション、ソフトウェアの起動などが行われる。これらが行われた後、新設基地局装置はリファレンス  シンボル（ｒｅｆｅｒｅｎｃｅ  ｓｙｍｂｏｌ）（パイロット信号）、同期チャネル（ｓｙｎｃｈｒｏｎｉｓａｔｉｏｎ  ｃｈａｎｎｅｌ）、必要最小限の報知情報などを送信してよいが、ユーザに対してはまだ通信サービスの提供はできない。この状態をプリオペレーション状態と呼ぶ。従って、このプリオペレーション状態では、ユーザ装置１００ｎはそのセルでの待ち受け及びそのセルに対するアクセスはできない。
【００３３】
基地局装置２００４は、送信ＲＦ部２０６と、報知チャネル作成部２０８と、状態設定部２１０とを備える。
【００３４】
状態設定部２１０では、自基地局装置２００４の状態、例えば運用状態、プリオペレーション状態であることが設定される。例えば、自基地局装置２００４が新設基地局装置である場合にはプリオペレーション状態であることが設定される。この場合、状態設定部２１０は、プリオペレーション状態であることを示すインジケータを設定し、該プリオペレーション状態であることを示すインジケータを報知チャネル作成部２０８に入力する。
【００３５】
報知チャネル作成部２０８は、状態設定部２１０により入力されたプリオペレーション状態であることを示すインジケータ、例えば１ビットを含む報知チャネルを作成し、ＲＦ送信部２０６を介して送信する。この報知チャネルには、新設基地局装置の識別子を含めるようにしてもよい。
【００３６】
次に、本実施例に係るユーザ装置１００ｎについて、図３を参照して説明する。
【００３７】
本実施例に係るユーザ装置１００ｎは、基地局装置２００ｍが送信した報知チャネルを受信した場合に、その報知チャネルにプリオペレーション状態であることを示すインジケータが含まれるか否かを判断する。ユーザ装置１００ｎは、プリオペレーション状態であることを示すインジケータが含まれる場合に、その新設基地局装置２００ｍが送信するパイロットチャネルの受信品質、例えばＳＩＲを測定し、ネットワークに報告する。例えば、ユーザ装置１００ｎは、報知チャネルを送信した新設基地局装置２００４が送信するパイロットチャネルの受信品質を、既存の基地局装置、例えば在圏するエリアをカバーする基地局装置に送信する。
【００３８】
ユーザ装置１００ｎは、セルサーチ部１０２と、報知チャネル受信部１０４と、制御部１０６と、受信品質測定部１０８と、通知部１１０と、セル選択部１１２とを備える。
【００３９】
セルサーチ部１０２は、所定の周期、例えば２００ｍｓ毎にセルサーチを行い、セル検出を行う。セルサーチ部１０２は、新たなセルを検出した場合、受信した同期チャネルに基づいて、報知チャネルの送信帯域を検出し、報知チャネル受信部１０４に入力する。
【００４０】
報知チャネル受信部１０４は、セルサーチ部１０２により入力された報知チャネルの送信帯域に基づいて、報知チャネルを受信し、報知情報を制御部１０６に入力する。
【００４１】
制御部１０６は、報知チャネル受信部１０４により入力された報知情報にプリオペレーション状態であることを示すインジケータが含まれるか否かを判断する。その報知情報にプリオペレーション状態であることを示すインジケータが含まれると判断した場合、制御部１０６は、受信品質測定部１０８に報知チャネルを送信した新設基地局装置２００４から送信されるパイロットチャネルの受信品質、例えばＳＩＲを測定するように命令する。制御部１０６は、受信品質測定部１０８により測定された新設基地局装置２００４から送信されるパイロットチャネルの受信品質を、通知部１１０を介して、既存基地局装置に通知する。また、併せて新設基地局装置（新規セル）の識別子（ＩＤ）を既存の基地局装置に通知する。このようにすることにより新設基地局装置２００４が送信する電波の伝搬状況に関する情報を自動的に収集できる。
【００４２】
制御部１０６は、その報知情報にプリオペレーション状態であることを示すインジケータが含まれないと判断した場合、受信品質測定部１０８に既存基地局装置から送信されるパイロットチャネルの受信品質、例えばＳＩＲを測定するように命令する。制御部１０６は、受信品質測定部１０８により測定された既存基地局装置から送信されるパイロットチャネルの受信品質を、セル選択部１１２に入力する。セル選択部１１２は、入力された受信品質に基づいて、通信中のセルとの受信レベルとの比較などを行うことによりセル選択を行う。
【００４３】
すでに設置され運用状態である既存基地局装置としての基地局装置２００１、２００２及び２００３について、図４を参照して説明する。
【００４４】
既存基地局装置としての基地局装置２００１、２００２及び２００３は、ユーザ装置１００ｎから送信された新設基地局装置の識別子及び新設基地局装置２００４が送信するパイロットチャネルの受信品質、例えばＳＩＲを受信し、各ユーザ装置１００ｎから受信した受信品質に対して統計処理、例えば、既存基地局装置毎に平均値を求め、その結果をアクセスゲートウェイ装置３００に通知する。
【００４５】
基地局装置２００１、２００２及び２００３は、受信ＲＦ部２１２と、ＲＲＣ（Ｒａｄｉｏ  Ｒｅｓｏｕｒｃｅ  Ｃｏｎｔｒｏｌ）プロトコル処理部２１４と、統計処理部２１６と、ネットワークインターフェース２１８と、トラッキングエリア設定部２２０とを備える。
【００４６】
各ユーザ装置１００ｎから送信された新設基地局装置の識別子及びその新設基地局装置が送信するパイロットチャネルの受信品質は、メジャーメントレポート（ｍｅａｓｕｒｅｍｅｎｔ  ｒｅｐｏｒｔ）として受信ＲＦ部２１２により受信され、ＲＲＣプロトコル処理部２１４に入力される。
【００４７】
ＲＲＣプロトコル処理部２１４は、入力された受信品質をＲＲＣプロトコルにより、新設基地局装置の識別子とともに統計処理部２１６に入力する。
【００４８】
統計処理部２１６は、入力された受信品質を用いて統計処理を行う。例えば、統計処理部２１６は、入力された受信品質の平均値を求める。例えば、既存基地局装置２００１はユーザ装置１００１及び１００２から送信された受信品質の平均値を求め、既存基地局装置２００２はユーザ装置１００３から送信された受信品質を平均値として求め、既存基地局装置２００３はユーザ装置１００４から送信された受信品質を平均値として求める。
【００４９】
また、統計処理部２１２は、入力された受信品質の累積密度分布（ＣＤＦ：  Ｃｕｍｕｌａｔｉｖｅ  Ｄｉｓｔｒｉｂｕｔｉｏｎ  Ｆｕｎｃｔｉｏｎ）を取得し、図５に示すように、受信品質の予め決定された所定のパーセント値、例えばＸパーセント値を求めるようにしてもよい。
【００５０】
統計処理部２１２は、統計処理の結果、すなわち求められた受信品質の平均値又はパーセント値を、自基地局装置のセルＩＤとともにネットワークインターフェース２１４を介して、上位局例えばアクセスゲートウェイ装置３００に送信する。
【００５１】
次に、本実施例に係るアクセスゲートウェイ装置３００について、図６を参照して説明する。
【００５２】
アクセスゲートウェイ装置３００は、各既存基地局装置２００１、２００２及び２００３から送信された統計処理の結果に基づいて、新設基地局装置２００４のトラッキングエリアを決定し、決定されたトラッキングエリアを示す情報（トラッキングエリアＩＤ）を新設基地局装置２００４に通知する。
【００５３】
アクセスゲートウェイ装置３００は、ネットワークインターフェース３０２と、トラッキングエリア選択処理部３０４と、記憶部３０６とを備える。
【００５４】
ネットワークインターフェース３０２は、新設基地局装置２００４及び既存基地局装置２００１、２００２及び２００３を含む基地局装置、ＨＬＲとのインタフェースである。
【００５５】
記憶部３０６には、トラッキングエリアと、そのトラッキングエリアを構成するセル（基地局装置）との対応を示すテーブル（トラッキングエリア−セルマッピングテーブル）が記憶される。
【００５６】
トラッキングエリア選択処理部３０４は、各既存基地局装置２００１、２００２及び２００３から通知された統計処理の結果に基づいて、新設基地局装置２００４に設定するトラッキングエリアを選択する。例えば、トラッキングエリア選択処理部３０４は、各既存基地局装置２００１、２００２及び２００３から統計処理の結果として、受信品質の平均値が通知された場合には、最大の平均値を通知した既存基地局装置を選択する。そして、トラッキングエリア選択処理部３０４は、記憶部３０６に記憶されたトラッキングエリア−セルマッピングテーブルを参照して、選択された既存基地局装置が属するトラッキングエリアを特定し、そのトラッキングエリアを新設基地局装置に割り当てる。
【００５７】
また、トラッキングエリア選択処理部３０４は、記憶部３０６に記憶されたトラッキングエリア−セルマッピングテーブルを参照して、統計処理の結果を通知してきた既存基地局装置の属するトラッキングエリアを求め、トラッキングエリア毎に既存基地局装置を集計し、その集計値が大きいトラッキングエリアを特定し、そのトラッキングエリアを新設基地局装置に割り当てるようにしてもよい。例えば、トラッキングエリア選択処理部３０４は、既存基地局装置２００１が属するトラッキングエリア２０４１、既存基地局装置２００２が属するトラッキングエリア２０４１、既存基地局装置２００３が属するトラッキングエリア２０４３を求める。トラッキングエリア毎に既存基地局装置を集計した結果、トラッキングエリア２０４１に属する統計処理の結果を通知してきた既存基地局装置は既存基地局装置２００１及び２００２の２基であり、トラッキングエリア２０４２に属する統計処理の結果を通知してきた既存基地局装置は既存基地局装置２００３の１基であるため、その集計値が大きいトラッキングエリア２０４１を特定し、そのトラッキングエリア２０４１を新設基地局装置に割り当てる。
【００５８】
新設基地局装置に割り当てるトラッキングエリアが決定されると、トラッキングエリア選択処理部３０４は、ネットワークインターフェース３０２を介して、決定されたトラッキングエリアを示す情報を新設基地局装置に通知し、さらに、記憶部３０６に記憶されたトラッキングエリア−セルマッピングテーブルを更新する。
【００５９】
次に、本実施例にかかる移動通信システムの動作について、図７を参照して説明する。
【００６０】
新設基地局装置が設置される場合、新設基地局装置２００４では、状態設定部２１０において、プリオペレーション状態であることが設定される。報知チャネル作成部２０８は、プリオペレーション状態であることを示す情報、例えばプリオペレーション状態であることを示すインジケータを含む報知チャネルを作成し、送信ＲＦ部２０６は、自新設基地局装置の識別子とともに、報知チャネルを送信する（ステップＳ７０２）。
【００６１】
ユーザ装置１００ｎでは、セルサーチ部１０２において、所定の周期、例えば２００ｍｓ毎にセルサーチが行われる。セルサーチ部１０２により、新たなセルが検出された場合、報知チャネル受信部１０４は同期チャネルから検知された報知チャネルの送信帯域に基づいて、報知チャネルを受信する。
【００６２】
報知チャネル受信部１０４は、受信した報知チャネルにプリオペレーション状態を示すインジケータが含まれている場合、受信品質測定部１０８は報知チャネルを送信した新設基地局装置から送信されるパイロットチャネルの受信品質を測定し、通知部１１０は、受信品質測定部１０８において測定された受信品質を新設基地局装置の識別子とともに自ユーザ装置１００ｎが在圏するエリアをカバーする既存基地局装置に報告する。
【００６３】
ユーザ装置１００ｎから送信された新設基地局装置の識別子及び受信品質は、各ユーザ装置が在圏するセルをカバーする既存基地局装置２００１、２００２及び２００３の受信ＲＦ部２０８において受信される（ステップＳ７０４、Ｓ７０６及びＳ７０８）。既存基地局装置２００１、２００２及び２００３では、受信された受信品質はＲＲＣプロトコル処理部２１０において、ＲＲＣプロトコルにより、統計処理部２１２に入力される。
【００６４】
次に、各既存基地局装置２００１、２００２及び２００３では、統計処理部２１２において、入力された受信品質に対して統計処理が行われる（ステップＳ７１０、Ｓ７１２及びＳ７１４）。
【００６５】
次に、各既存基地局装置２００１、２００２及び２００３は、統計処理部２１２における統計処理の結果をアクセスゲートウェイ装置３００に通知する（ステップＳ７１６、Ｓ７１８及びＳ７２０）。
【００６６】
アクセスゲートウェイ装置３００は、各既存基地局装置２００１、２００２及び２００３から統計処理の結果を受信する（ステップＳ７２２）。
【００６７】
次に、アクセスゲートウェイ装置３００は、トラッキングエリア選択処理部３０４において受信した統計処理の結果に基づいて、新設基地局装置２００４に設定するトラッキングエリアを決定する（ステップＳ７２４）。
【００６８】
次に、アクセスゲートウェイ装置３００は、決定されたトラッキングエリアのＩＤを新設基地局装置２００４に通知する（ステップＳ７２６）。
【００６９】
新設基地局装置２００４は、アクセスゲートウェイ装置３００から送信されたトラッキングエリアＩＤ を受信する（ステップＳ７２８）。
【００７０】
次に、新設基地局装置２００４は、トラッキングエリア設定部２１６において、トラッキングエリアＩＤが設定される（ステップＳ７３０）。
【００７１】
トラッキングエリアＩＤを送信したアクセスゲートウェイ装置３００は、記憶部３０６に記憶されたトラッキングエリア−セルマッピングテーブルを更新する（ステップＳ７３２）。
【００７２】
上述した実施例においては、既存基地局装置２００１、２００２及び２００３からアクセスゲートウェイ装置３００に統計処理の結果が通知される場合について説明したが、移動通信システムにＯＡＭ(Ｏｐｅｒａｔｉｏｎ  Ａｎｄ  Ｍａｉｎｔｅｎａｎｃｅ)サーバが備えられている場合には、ＯＡＭサーバに通知し、ＯＡＭサーバにおいて上述したアクセスゲートウェイ装置３００と同様の処理を行うようにしてもよい。また、統計処理の結果を新設基地局装置２００４に通知し、新設基地局装置２００４において上述したアクセスゲートウェイ装置３００と同様の処理を行うようにしてもよい。この場合、アクセスゲートウェイ装置３００に記憶されたトラッキングエリア−セルマッピングテーブルを用いてトラッキングエリアが設定される。
【００７３】
また上述した実施例においては、新設基地局装置においてプリオペレーション状態であることを示すインジケータが報知される場合について説明したが、予め新設基地局装置に対して割り当てる同期チャネルのパターン又はスクランブリングコードのパターンを決定しておき、この同期チャネルのパターン又はスクランブリングコードのパターンにより同期チャネルを送信することにより、新設基地局装置が設置されたことを通知するようにしてもよい。このようにすることにより、ユーザ装置は同期チャネルの受信により、新設基地局装置が設置されたことを検知できる。すなわち、報知チャネルを受信する前に、新設基地局装置が設置されたことを検知できる。
【００７４】
また、上述した実施例においては、ユーザ装置から既存基地局に、新設基地局装置から送信されるパイロットチャネルの受信品質が報告される場合について説明したが、ユーザ装置において、新設基地局装置から送信されるパイロットチャネルの受信品質が所定の閾値以上である場合に、その旨、すなわち受信品質が所定の閾値以上であることを示す情報を既存基地局に通知するようにしてもよい。例えば、新設基地局装置のＩＤ（識別子）を通知する。この場合、所定の閾値は、予め既存基地局からの報知情報などで設定しておいてもよい。既存基地局装置では、受信品質が所定の閾値以上であることを通知してきたユーザ装置の数を集計して、その集計値をアクセスゲートウェイ装置に通知する。アクセスゲートウェイ装置は、トラッキングエリア−セルマッピングテーブルを参照し、既存基地局装置から通知された集計値に基づいて、その集計値が最大の既存基地局装置の属するトラッキングエリアを、その新設基地局装置に割り当てる。このようにすることにより、ユーザ装置から受信品質を報告する必要がないため、報告するビット数を低減できる。
【図面の簡単な説明】
【００７５】
【図１】本発明の一実施例に係る移動通信システムの一例を示す説明図である。
【図２】本発明の一実施例に係る基地局装置を示す部分ブロック図である。
【図３】本発明の一実施例に係るユーザ装置を示す部分ブロック図である。
【図４】本発明の一実施例に係る基地局装置を示す部分ブロック図である。
【図５】受信品質の累積密度分布を示す説明図である。
【図６】本発明の一実施例に係るアクセスゲートウェイ装置を示す部分ブロック図である。
【図７】本発明の一実施例にかかる移動通信システムの動作を示すフロー図である。
【符号の説明】
【００７６】
１００、１００１、１００２、１００３、１００４、１００５  ユーザ装置
１００  トラッキングエリア設定装置
１０２  セルサーチ部
１０４  報知チャネル受信部
１０６  制御部
１０８  受信品質測定部
１１０  通知部
１１２  セル選択部
２００、２００１、２００２、２００３、２００４  基地局装置
２０２、２０２１、２０２２、２０２３、２０２４  セル
２０４、２０４１、２０４２  トラッキングエリア
２０６  送信ＲＦ部
２０８  報知チャネル作成部
２１０  状態設定部
２１２  受信ＲＦ部
２１４  ＲＲＣプロトコル処理部
２１６  統計処理部
２１８、３０２  ネットワーク  インターフェース
２２０  トラッキングエリア設定部
３００  アクセスゲートウェイ（ａＧＷ：  ａｃｃｅｓｓ  Ｇａｔｅｗａｙ）
３０４  トラッキングエリア選択処理部
３０６  記憶部
４００  ホームロケーションレジスタ（ＨＬＲ：  Ｈｏｍｅ  Ｌｏｃａｔｉｏｎ  Ｒｅｇｉｓｔｅｒ）
５００  コアネットワーク
【図１】
2008193366.tif 000003
【図２】
2008193366.tif 000004
【図３】
2008193366.tif 000005
【図４】
2008193366.tif 000006
【図５】
2008193366.tif 000007
【図６】
2008193366.tif 000008
【図７】
2008193366.tif 000009